(57)【要約】【課題】小型の液晶表示装置や液晶可変焦点レンズに適用でき、外形サイズを最小にしても、ガラス基板上に電気回路部品を実装することが可能な液晶パネルを提供すること。【解決手段】第１の基板と第２の基板との間に挟持された第１の液晶層と、第１の液晶層に対して第２の基板における反対側の面と第３の基板とで挟持された第２の液晶層と、外部接続電極を介して第１、第２の液晶層に給電を行うフレキシブル基板とを有する液晶パネルにおいて、第１の基板と第３の基板より第２の基板を一方向に突出させるとともに、第１の基板より第３の基板を前記一方向に突出させ、一方向に突出させることにより露出する、第１の基板側における第２の基板表面には、外部接続電極が形成されており、さらに、外部接続電極上であり、かつ第３の基板の突出させた基板とオーバーラップする位置に、電気回路部品を積層配置されてなる構成を採用した。【選択図】  図１
2007086162.tif 000002
【特許請求の範囲】
【請求項１】
第１の基板と第２の基板との間に挟持された第１の液晶層と、前記第１の液晶層に対して前記第２の基板における反対側の面と第３の基板とで挟持された第２の液晶層と、外部接続電極を介して前記第１、第２の液晶層に給電を行うフレキシブル基板と、を有する液晶パネルにおいて、
前記第１の基板と前記第３の基板よりも前記第２の基板を一方向に突出させることにより露出する、前記第１の基板側の第２の基板表面には、前記外部接続電極が形成されており、
前記外部接続電極上であり、かつ前記第１の基板より突出させた前記第３の基板と前記第２の基板とがオーバーラップする位置に、電気回路部品が実装接続されてなることを特徴とする液晶パネル。
【請求項２】
前記電気回路部品は、温度検出素子を含むことを特徴とする請求項１に記載の液晶パネル。
【請求項３】
前記第１、第２の液晶層に給電を行う前記外部接続電極は、前記第２の基板の両面に形成されており、
前記フレキシブル基板は、この両面に設けた前記外部接続電極に接続されていることを特徴とする請求項１または２に記載の液晶パネル。
【請求項４】
前記第２の基板における前記第１の液晶層側に設けた前記電極パターンは、前記第１の液晶層を加熱するためのヒーター電極を含むことを特徴とする請求項１から３のいずれか一項に記載の液晶パネル。
【請求項５】
前記液晶パネルは、可変焦点レンズであることを特徴とする請求項１から４のいずれか一項に記載の液晶パネル。
【発明の詳細な説明】
【技術分野】
【０００１】
この発明は、第１と第２の液晶層をそれぞれ第１から第３の基板の間に積層して配置し、第２の基板上に電気回路部品を実装配置してなる液晶パネルに関し、特に、矩形形状の第１から第３の基板の位置をずらすことにより露出する第２の基板表面に、温度検出素子のような電気回路部品を実装配置したとしても、パネル外形を小型とすることができる液晶パネルに関する。
【背景技術】
【０００２】
第１と第２の液晶層をそれぞれ３枚のガラス基板の間に積層して配置した液晶パネルが知られている。この液晶パネルは、第１と第２のガラス基板とで第１の液晶層を挟持し、第１の液晶層とは反対側の第２のガラス基板表面と第３のガラス基板とで第２の液晶層を挟持し、さらにこれら第１と第２の液晶層が積層配置した構成となっている。
【０００３】
また、この液晶パネルは、第１〜第３のガラス基板の第１と第２の液晶層に接するそれぞれの表面に形成した電極パターンに接続された外部接続電極に、フレキシブル基板を実装接続して、外部回路からの信号の入出力ができる様になっている。
【０００４】
しかしながら、この液晶パネルにおける、外部接続電極とフレキシブル基板との実装接続面積をできるだけ小さくし、かつ外部接続電極の数を多くすると、各外部接続電極とフレキシブル基板に設けた配線とを確実に接続することが困難となってしまう。また、この様な構成では、装置の信頼性が低下するとの懸念があった。
【０００５】
そこで、第１、第２の液晶層を駆動するための駆動回路を、第３のガラス基板表面に設けることで、フレキシブル基板の配線数を減らした液晶パネルが提案された（例えば、特許文献１参照）。
【０００６】
この従来の液晶パネルの構成について説明する。図４は、従来の液晶パネルの構成を示す構成断面図である。
【０００７】
図４に示す様に、この液晶パネル１１０は、３枚の矩形形状の第１のガラス基板１０１よりも第２のガラス基板１０２を突出させるとともに、第２のガラス基板１０２よりも第３のガラス基板１０３を突出させて配置した形態となっている。さらに、この液晶パネル１１０は、第２のガラス基板１０２表面で露出する、第１の液晶層１１４ａを駆動するための電極パターン８、９に接続された第１の外部接続電極１０６ａと、第３のガラス基板１０３表面で露出する、第２の液晶層１１４ｂを駆動するための電極パターン１０、１１に接続された第２の外部接続電極１０６ｂとが、第１のフレキシブル基板１０５ａで接続された形態となっている。
【０００８】
また、第２の外部接続電極１０６ｂ上には、第１と第２の液晶層１１４ａ、１１４ｂを駆動するための液晶駆動回路に相当する電気回路部品１０４が配設され、さらに、この電気回路部品１０４から第３のガラス基板１０３の端部に至る領域で、第２の外部接続電極１０６ｂと第２のフレキシブル基板１０５ｂとが電気的に接続され、外部回路（図示せず）から第１、第２の液晶層１１４ａ、１１４ｂへの信号の入力を行えるようになっている。
【０００９】
この様な構成することにより、外部回路から第２の外部接続電極１０６ｂへの接続は、２本の電源線と、シリアルクロック制御信号とシリアルデータ信号とを送る２本の制御線
とを合わせた４本だけとなり、第２の外部接続電極１０６ｂと外部回路とを繋ぐ配線数を減らしたにも係わらず、第１、第２の液晶層１１４ａ、１１４ｂを駆動することが出来るようになる。
【００１０】
なお、電気回路部品１０４から第１、第２の液晶層１１４ａ、１１４ｂに導出する第２の外部接続電極１０６ｂは、それぞれの第１、第２の液晶層１１４ａ、１１４ｂに配した電極パターン８〜１１に所望の給電を行うことができる配線数としてある。また、第１の液晶層１１４ａを駆動するための配線は、第１のフレキシブル基板１０５ａを介して第１の外部接続電極１０６ａに接続され、第２の液晶層１１４ｂを駆動するための配線は、そのまま第２の液晶層１１４ｂへ給電を行うことができる様になっている。
【００１１】
【特許文献１】特開平１０−２６８３３７号公報（第５頁、第３−４図）
【発明の開示】
【発明が解決しようとする課題】
【００１２】
この特許文献１に記載の液晶パネル１１０の構成では、図４に示す様に、第２のガラス基板１０２と第１のフレキシブル基板１０５ａとを接続する実装領域１４１と、第１のフレキシブル基板と第２の外部接続電極１０６ｂとを接続する実装領域１４２と、第３のガラス基板１０３上に設ける電気回路部品１０４の実装領域１４３と、第３のガラス基板１０３とフレキシブル基板１０５ｂとを接続する実装領域１４４とがそれぞれ必要となる。
【００１３】
そして、これら４つの実装領域１４１〜１４４は、互いにオーバーラップさせて配置することはできないため、これら実装領域１４１〜１４４は、小型の外形サイズとした液晶パネル１１０をでは、無視できないものとなる。
【００１４】
特に携帯電話などの電子機器に搭載するやカメラモジュールは、携帯電話の小型化にともない、部品の小型化が望まれている。そして、このカメラモジュール筐体内に、この従来の液晶パネル１１０の構成を適用した可変焦点レンズレンズを収納すると、液晶層１１４ａ、１１４ｂの面積が小さくなってしまい、可変焦点レンズとして十分機能しなくなる。
【００１５】
そこで、液晶層１１４ａ、１１４ｂの面積を大きくし、その分だけ実装領域１４１〜１４４を狭くすると、第１、第２の外部接続電極１０６ａ、１０６ｂと第１、第２のフレキシブル基板１０５ａ、１０５ｂに設けた配線とを確実に接続することが困難となってしまう。したがって、この様な構成のままでは電子機器の信頼性が低下してしまい、好ましくない。
【００１６】
そこで、本発明は上記課題を解決し、小型の液晶表示装置や液晶可変焦点レンズに適用でき、外形サイズを最小にしても、ガラス基板上に電気回路部品を実装することが可能な液晶パネルを提供することを目的とする。
【課題を解決するための手段】
【００１７】
上述した課題を解決して目的を達成するために、本発明の液晶パネルは、基本的に下記記載の構成を採用する。
【００１８】
本発明の液晶パネルは、第１の基板と第２の基板との間に挟持された第１の液晶層と、第１の液晶層に対して第２の基板における反対側の面と第３の基板とで挟持された第２の液晶層と、外部接続電極を介して第１、第２の液晶層に給電を行うフレキシブル基板とを有する液晶パネルにおいて、この第１の基板と第３の基板より第２の基板を一方向に突出させることにより露出する、第１の基板側の第２の基板表面には、外部接続電極が形成さ
れており、さらに、外部接続電極上であり、かつ第１の基板より突出させた第３の基板と第２の基板とがオーバーラップする位置に、電気回路部品が実装接続されてなることを特徴とするものである。
【００１９】
上記発明によれば、層間接続するためのフレキシブル基板をシール部材の外側に設けて、第１と第２の液晶層を駆動する形態とする必要がないため、液晶パネルの外形サイズを最小にすることが可能となる。
【００２０】
また、本発明によれば、導電ペースト材や、ＡＣＦ（anisotropic conductive film）材を介して第２の基板に電気回路部品を実装する場合、電気回路部品の下に第３の基板をオーバーラップして配置するため、圧着ヘッドで電気回路部品を加熱プレスするときに第３の基板がスペーサー代わりとなり、第２の基板の割れを極力防止することができるようになる。
【００２１】
また、本発明にかかる液晶パネルは、電気回路部品が温度検出素子を含むことを特徴とするものである。
【００２２】
上記発明の様に、第１と第２の液晶層が接する第２の基板に温度検出素子を実装することにより、液晶層の温度を精度良くモニターすることができるようになる。
【００２３】
また、本発明に掛かる液晶パネルは、上記第１、第２の液晶層に給電を行う外部接続電極が、第２の基板の両面に形成されており、さらに、上記フレキシブル基板が、この両面に設けた外部接続電極に接続されていることを特徴とするものである。
【００２４】
また、本発明にかかる液晶パネルは、第２の基板における第１の液晶層側に設けた電極パターンが、第１の液晶層を加熱するためのヒーター電極を含むことを特徴とするものである。
【００２５】
上記発明によれば、低温下で液晶の応答速度が低下し、表示性能やレンズ性能が劣化する場合、第１乃至第２、または第１と第２の液晶層を直接加熱することで、液晶の応答速度を向上させることが可能となる。
【発明の効果】
【００２６】
本発明によれば、３枚の基板を用いて２層の液晶層を挟持した液晶パネルの外形サイズを小さくしたとしても、これら液晶層を、各基板表面に設けた電極パターンを介してそれぞれ駆動するための外部回路と電極パターンとの接続を容易に、また確実に行うことができるという効果を奏する。
【００２７】
また、本発明によれば、複数個の実装領域の少なくとも２つをオーバーラップして配置することが出来るので、各実装領域の面積を小さくせずとも外部接続電極とフレキシブル基板に設けた配線とを確実に接続できるようになる。したがって、この液晶パネルを搭載した電子機器は、信頼性の高いものとなる。
【発明を実施するための最良の形態】
【００２８】
以下に添付図面を参照して、この発明にかかる液晶パネルの好適な実施の形態を詳細に説明する。なお、下記の説明では、本発明の液晶パネルを主に可変焦点レンズ（以下、液晶レンズという）に置き換えて説明をしているが、本発明の液晶パネルは、必ずしもこれに限定されるものではなく、例えば表示用の液晶パネルにも適用できる技術であることに留意されたい。
【００２９】
まず、本発明の液晶パネルの構成について説明をする。図１（ａ）は、第１の実施形態に係わる液晶パネルを示す斜視図であり、図１（ｂ）は、図１（ａ）中のＡ−Ａ’間の断面図である。
【００３０】
図１（ａ）図１（ｂ）に示すように、液晶レンズ２１は、第１、第２の液晶レンズ２１ａ、２１ｂを備えている。そして、この第１の液晶レンズ２１ａは、矩形形状のガラス基板１の下面と、矩形形状のガラス基板２の上面に、電極パターン８と電極パターン９とがそれぞれ形成されており、ガラス基板１、２とシール部材１２ａで規定された間隙に液晶層１４ａが配置された構成となっている。
【００３１】
同様に、第２の液晶レンズ２１ｂは、矩形形状のガラス基板２の下面と矩形形状のガラス基板３の上面に、電極パターン１０と電極パターン１１とがそれぞれ形成されており、ガラス基板２、３とシール部材１２ｂで規定された間隙に液晶層１４ｂが配置された構成となっている。
【００３２】
また、この第１、第２の液晶レンズ２１ａ、２１ｂの周縁部は、シール部材１２ａ、１２ｂにより封止され、第１の液晶レンズ２１ａと第２の液晶レンズ２１ｂにおける液晶層１４ａ、１４ｂの厚さは、シール部材１２ａ、１２ｂに含まれるスペーサー部材（図示せず）により一定に保たれている。
【００３３】
また、これら第１、第２の液晶レンズ２１ａ、２１ｂを構成する矩形形状のガラス基板２を、ガラス基板１、３よりも突出させ、また、ガラス基板１よりもガラス基板３を突出させるとともにガラス基板２よりも後退させて配置してある。
【００３４】
また、このガラス基板２がガラス基板１、３に対して突出させて露出するガラス基板２両面には、それぞれ外部接続電極６ａ、６ｂが形成されている。そして、外部接続電極６ａには、電機回路部品に相当する例えば温度検出素子を含む温度センサＩＣ４が実装配置されており、電極パターン９と外部接続電極６ａとを介して、外部環境により変化する液晶層１４ａの温度を検出できるようになっている。
【００３５】
また、前述したシール部材１２ａ、１２ｂには導電粒が含まれており、ガラス基板１の下面及びガラス基板２の上面に形成された電極パターン８、１１は、シール部材１２ａ、１２ｂに含有された導電粒を介して、対向するガラス基板２に形成された電極パターン９、１０に接続されている。そして、外部接続電極６ａ、６ｂには、フレキシブル基板５ａ、５ｂからなる外部信号入出力手段が接続されており、フレキシブル基板５ａの他端は、フレキシブル基板５ｂにＡＣＦ材（図示せず）により接続されている。
【００３６】
なお、本図面では、液晶駆動用回路ＩＣ７がフレキシブル基板５ｂ上に実装され、ガラス基板２の両面の外部接続電極６ａ、６ｂに接続された形態を示したが、電気回路部品として、温度センサＩＣ４とともに、液晶駆動用回路ＩＣ７を外部接続電極６ａ上に配置しても構わない。
【００３７】
ここで、本発明の液晶パネルを液晶レンズとして用いた場合に、２層の液晶層が必要である理由について説明する。
液晶で光の位相変調を行って液晶レンズを実現するためには、Ｐ波用の第１の液晶レンズ２１ａとＳ波用の第２の液晶レンズ２１ｂの２層構成となる。両第１、第２の液晶レンズ２１ａ、２１ｂは共に構成は同じであるが、液晶層１４ａ、１４ｂの配向方向が９０°異なる。これは、Ｐ波用の第１の液晶レンズ２１ａの屈折率分布を変化させた場合、第１の液晶レンズ２１ａの配向方向と同じ方向の偏光面を有する光は、屈折率分布の変化の影響を受けるが、第１の液晶レンズ２１ａの配向方向に対して直交する方向の偏光面を有す
る光は、屈折率分布の変化の影響を受けない。Ｓ波用の第２の液晶レンズ２１ｂについても同様である。
【００３８】
従って、配向方向が９０°異なる２枚の第１、第２の液晶レンズ２１ａ、２１ｂ、すなわちＰ波用の第１の液晶レンズ２１ａとＳ波用の第２の液晶レンズ２１ｂとが必要となる。第１の液晶レンズ２１ａと第２の液晶レンズ２１ｂとは、同じ波形の駆動電圧によって駆動される。ここで用いる駆動電圧は、例えばパルス高さ変調（ＰＨＭ）またはパルス幅変調（ＰＷＭ）された交流電圧である。
【００３９】
次に、本発明の液晶パネルを液晶レンズとして用いた場合の電極パターンの配置形態について説明をする。図２は、この第１の液晶レンズ２１ａにおける電極パターン９の配置形態を示す平面図である。
【００４０】
図２に示すように、ガラス基板２の上面に配置する電極パターン９（図１（ｂ）参照）の中央部には、印加電圧に応じて屈折率が変化するレンズパターン領域１３に配した、輪帯状パターン（図示せず）が設けられ、ガラス基板１に配した電極パターン８（図１（ｂ）参照）には、ベタの共通電極（図示せず）が設けられ、上記輪帯状パターンと共通電極のパターンにて液晶層１４ａに給電を行えるようになっている。
【００４１】
また、本図面に示すように、このレンズパターン領域１３の周辺を覆うように、電極パターン９にはヒーター電極１５が、共通電極側の電極パターン８にも同形状で積層配置されたヒーター電極１５がそれぞれ形成されており、これらヒーター電極１５を介して液晶層１４ａを加熱できるようになっている。
【００４２】
また、ガラス基板２（図１（ｂ）参照）には、温度センサＩＣ４が、フレキシブル基板５ｂには、ヒーター電極１５に接続するヒーターＯＮ／ＯＦＦ回路（図示せず）を設け、所定時間だけヒーター電極１５に通電することにより、低温下で第１、第２の液晶レンズ２１ａ、２１ｂを加熱し、温度を一定値以上にすることが可能となっている。
【００４３】
そして、この温度センサＩＣ４から得られる温度出力値は、主にヒーター電極１５のＯＮ／ＯＦＦ制御に使用する。温度センサＩＣ４は、液晶層１４ａ近傍のガラス基板２表面に直接実装接続されているため、熱伝導性の良い金属材料により形成された、ヒーター電極１５と外部接続電極６ａとを介して液晶層１４ａの温度を遅れなく正確に測定することが可能となる。
【００４４】
次に、本発明の第１、第２の液晶レンズ２１ａ、２１ｂを構成するレンズパターン領域１３に配した電極パターンの具体的な構成例について説明をする。図３は、図１（ｂ）に示した電極パターン９、１０におけるレンズパターン領域１３に配した電極パターンの構成例を示す正面図である。
【００４５】
図３に示すように、レンズパターン領域１３は、円形状の中心部電極３１の回りに、半径の異なる複数の同心円の円周に沿って複数のＣ字状の輪帯電極３２、３３が配置されたパターンを有する。中心部電極３１と最も内側の輪帯電極３２の間、および隣り合う輪帯電極３２、３３の間は、絶縁された空間となっている。そして、中心部電極３１と最も内側の輪帯電極３２、および隣り合う輪帯電極３２、３３は、輪帯接続部３４を介して互いに接続されている。
【００４６】
中心部電極３１からは中心部引き出し電極３５が、他の輪帯電極３２、３３および輪帯接続部３４から離れて（すなわち、絶縁された状態で）最外周の輪帯電極３３（以下、外周部電極３３とする）の外側まで伸びている。一方、外周部電極３３からは、その外側ま
で、外周部引き出し電極３６が他の電極から絶縁された状態で伸びている。なお、電極パターン９、１０の図３に示すパターンは、レンズパターン領域１３に重なるように配置される。
【００４７】
この中心部引き出し電極３５と外周部引き出し電極３６にそれぞれ印加された電圧に応じて、電極パターン８、１１に対する中心部電極３１、中心部電極３１と外周部電極３３との間の各輪帯電極３２、および外周部電極３３のそれぞれの電圧値が異なる状態となる。つまり、電極パターン９、１０によってレンズパターン領域１３に電圧分布が生じる。この電圧分布を変化させることによって、第１、第２の液晶レンズ２１ａ、２１ｂの屈折率の分布が変化し、第１、第２の液晶レンズ２１ａ、２１ｂを凸レンズの状態にしたり、平行ガラスの状態にしたり、凹レンズの状態にすることができる。
【００４８】
ここで、液晶レンズ２１のガラス基板２上面に温度センサＩＣ４を実装する方法について説明する。
まず、用意した液晶レンズ２１に、フレキシブル基板５ａ、５ｂを実装接続する前に、図１（ｂ）に示す実装領域４１における外部接続電極６ａ上に、温度センサＩＣ４をＡＣＦ材を用いて配設する。
【００４９】
次に、ガラス基板２の両面であり、フレキシブル基板５ａ、５ｂを実装する領域（図１（ｂ）における実装領域４２）にフレキシブル基板５ａ、５ｂを接着する。
【００５０】
次に、温度センサＩＣ４を所定の位置にアライメントし、ガラス基板３の背面から加熱するとともに、温度センサＩＣ４の上面から加圧して（以下、この工程のことをホットプレスとして説明する）、温度センサＩＣ４と外部接続電極６ａ間に存在するＡＣＦ材を熱硬化する。その場合の条件は、２００℃で約５秒である。圧力は接続パッドの面積と数に比例する。例えば、６０ミクロン角のパッドを１０個接続する場合、約１Ｋｇの圧力を加える。
【００５１】
ここで、第２の液晶レンズ２１ｂにおけるガラス基板３が、温度センサＩＣ４の下まで伸延させた形態、つまり、実装領域４１をオーバーラップするようにガラス基板３を伸延させた形態でないと、温度センサＩＣ４を実装領域４１にホットプレスする際に、ガラス基板２が大きく撓み、ガラス基板２の突出部ごと破損してしまう場合がある。
【００５２】
それに対して、本発明の液晶パネルの構成を採用した液晶レンズ２１は、図１（ｂ）に示すように、少なくともガラス基板３を温度センサＩＣ４の実装領域４１と重なるように配置しているので、前述した工程において温度センサＩＣ４をホットプレスして実装するときに、ガラス基板２の突出部を破損することなく、温度センサＩＣ４を確実に実装することができる。
【００５３】
次に、上述したホットプレスと同様にして、フレキシブル基板５ａ、５ｂを外部接続電極６ａ、６ｂに実装領域４２にてそれぞれ実装接続し、目的の液晶レンズ２１が完成する。
【００５４】
この様にして製造された液晶レンズ２１は、上述した作用により信頼性の高いパネルとすることができ、しかも温度センサＩＣ４とフレキシブル基板５ａ、５ｂとをガラス基板２の両面に実装接続したとしても、トータルの実装面積を極力小さくすることができる。それにより、決められた外形寸法のパネルにおける液晶層１４ａ、１４ｂの面積を極力大きくすることができるので、この液晶レンズ２１は、可変焦点レンズとして十分機能させることができる。したがって、カメラモジュールの様な小型化が要求される液晶レンズとして、本発明の液晶パネルの構成を採用することが可能となる。
【００５５】
なお、上記説明では、図１（ｂ）に示すように、シール部材１２ｂをシール部材１２ａと同形状とした例を示したが、温度センサＩＣ４をガラス基板２の表面に実装接続する際の、ガラス基板２の破損をできるだけ抑えたい場合は、シール部材１２ｂを温度センサＩＣ４の下側まで伸延させた形態とすれば、より安定して電子回路部品を実装できるようになる。
【産業上の利用可能性】
【００５６】
以上のように、本発明にかかる液晶パネルでは、シール部材の外側に存在する電気回路部品と、外部接続電極とを設ける突出部を極力小さく、かつ液晶層の面積を大きく設計することができ、且つホットプレス工程でガラスの割れが生じないため、高い歩留まりで製造することが可能になる。
【００５７】
このような液晶パネルは可変焦点液晶レンズとして利用した場合、オートフォーカス機能を有する自動合焦点装置に有用であり、特に、カメラ、デジタルカメラ、ムービーカメラ、カメラ付き携帯電話のカメラ部、車等に搭載されて後方確認用モニターなどに用いられるカメラ、内視鏡のカメラ部、レンズの度を変化させる機能を有する眼鏡などのオートフォーカス機能に適している。
【図面の簡単な説明】
【００５８】
【図１】本発明に係る液晶パネルの構成を示す斜視図と断面図である。
【図２】本発明に係る液晶パネルを液晶レンズとして用いたときの電極パターンの配置形態示す平面図である。
【図３】本発明に係る液晶パネルを液晶レンズとして用いたときの電極パターンの具体的な構成例を示す正面図である。
【図４】従来の液晶パネルの構成を示す断面図である。
【符号の説明】
【００５９】
１〜３  ガラス基板  
４  温度センサＩＣ
５ａ、５ｂ  フレキシブル基板
６ａ、６ｂ  外部接続電極
７  液晶駆動用回路ＩＣ
８〜１１  電極パターン
１２ａ、１２ｂ  シール部材
１３  レンズパターン領域
２１  液晶レンズ
２１ａ  第１の液晶レンズ
２１ｂ  第２の液晶レンズ
３１  中心部電極
３２  輪帯電極
３３  輪帯電極（外周部電極）
３４  輪帯接続部
３５  中心部引き出し電極
３６  外部引き出し電極
４１、４２  実装領域
【図１】
2007086162.tif 000003
【図２】
2007086162.tif 000004
【図３】
2007086162.tif 000005
【図４】
2007086162.tif 000006